(57)【要約】      （修正有）【課題】いざという時、速やかに使用することができ、今までにない使い勝手と便利性とを備えた携帯式防犯器具を提供する。【解決手段】ハウジング１１と、少なくとも一電気ショックユニット１２と、蓄電ユニット１３と、ブーストユニット１４と、スイッチユニット１５と、ＵＳＢ接続ユニット１６と、少なくとも一挟持ユニット１７とを包括している。電気ショックユニット及びＵＳＢ接続ユニットは、それぞれハウジングの異なる側面に位置し、ユーザはスイッチユニットを通して電気ショックユニットが発生する電気ショック信号を制御し、ＵＳＢ接続ユニットを通して蓄電ユニットに対し充電を行う。挟持ユニットをハウジング上に設置することで、書冊、携帯電話、バック或いは衣服に固定することができ、これにより悪意を持った人に対して抑止効果をもたらすと同時に、持ち運び及び使い勝手がよくなる。【選択図】図１
0003186660.tif 000002
【実用新案登録請求の範囲】
【請求項１】
一ハウジングと、
該ハウジングの一側面に位置し、少なくとも一電気ショックユニットと、
該ハウジング内に位置する一蓄電ユニットと、
該ハウジング内に位置し、該蓄電ユニットと該電気ショックユニットとに電気的に接続する一ブーストユニットと、
該ハウジング上に位置し、該蓄電ユニットと該ブーストユニットとの間の接続状態を制御する一スイッチユニットと、
該ハウジングの一側面に位置し、該蓄電ユニットに電気的に接続し、該蓄電ユニットに充電を行うために用いる一ＵＳＢ接続ユニットと、
該ハウジング上に位置し、一被挟持物を挟持するために用いることで、該被挟持物上に固定する一挟持ユニットとを包括することを特徴とする携帯式電気ショック装置。
【請求項２】
該ハウジング内に位置し、該蓄電ユニット及び該ブーストユニットを内包する一内包ユニットと、
該ハウジング上に位置し、該スイッチユニットが設置されて該内包ユニットに接続する一溝槽とをさらに包括しており、
そのうち、該ＵＳＢ接続ユニットと該電気ショックユニットとはそれぞれ該内包ユニットに相対する二側面に設置されており、該スイッチユニットは該溝槽に沿って移動することで、該ＵＳＢ接続ユニットがハウジング内部から伸縮することができることを特徴とする請求項１に記載の携帯式電気ショック装置。
【請求項３】
該溝槽は、少なくとも一第一位置制限ユニット、少なくとも一第二位置制限ユニット及び少なくとも一第三位置制限をさらに包括することができ、該スイッチユニットが該第一位置制限ユニットに位置する場合は、該ＵＳＢ接続ユニット及び該電気ショックユニットがハウジング内に収納され、該スイッチユニットが該第二位置制限ユニットに位置する場合は、該ＵＳＢ接続ユニットが該ハウジング外に突出され、該スイッチユニットが該第三位置制限ユニットに位置する場合は、該ＵＳＢ接続ユニット及び該電気ショックユニットが該ハウジング外に突出されることを特徴とする請求項２に記載の携帯式電気ショック装置。
【請求項４】
該挟持ユニットは、一固定部及び少なくとも一挟持部を包括し、該挟持部は該固定部を通して該ハウジングに接続し、該挟持部と該ハウジングで挟持を行うことを特徴とする請求項１に記載の携帯式電気ショック装置。
【考案の詳細な説明】
【技術分野】
【０００１】
本考案は、悪意を持った人に対して抑止効果をもたらすだけでなく、同時にユーザに使い勝手がよく、充電し易い携帯式電気ショック装置に関するものである。
【背景技術】
【０００２】
現在の社会治安の悪化に伴い、多くの人が、例えば、ホイッスル、サイレン、唐辛子スプレーやスタンガンなどの携帯式防犯器具を持ち歩き、自身の安全を守っている。
【０００３】
そのうち、スタンガンの場合、その内部には、一蓄電ユニット及び一電気ショックユニットが設けられており、高周波発振回路及び倍電圧回路を通じて蓄電ユニットの電圧を向上させ、向上した高電圧を電気ショックユニットに伝送することで、高電圧の電気ショック信号を発生している。この高電圧の電気ショック信号が人体と接触すると、相手に衝撃或いは一時的に気絶させ、その間にユーザが逃げることができる。
【０００４】
通常、ユーザがスタンガンを使用していないときは、スタンガンをカバンの内部などにしまっている。しかし、いざという時、大抵のユーザは速やかにカバンの中からスタンガンを取り出すことができず、スタンガンの効果を発揮することができない。
【考案の概要】
【考案が解決しようとする課題】
【０００５】
従来のスタンガンの問題を鑑み、今までにない使い勝手と便利性とを備えた携帯式防犯器具を提供することにある。
【課題を解決するための手段】
【０００６】
本考案の目的は、主にハウジング上に少なくとも一挟持ユニットを設置する携帯式電気ショック装置を提供しており、挟持ユニットによって電気ショック装置を書冊、デジタル製品、携帯電話、バック或いは衣服に固定し、これによりユーザが電気ショック装置を持ち運び易く、使い勝手が良いだけでなく、同時に悪意を持った人に対して抑止効果をもたらすこともできる。
【０００７】
本考案のもう一つの目的は、主に一ＵＳＢ接続ユニットを包括する携帯式電気ショック装置を提供しており、携帯式電気ショック装置はＵＳＢ接続ユニットによってその他の電子機器と接続することで、携帯式電気ショック装置に充電することができ、これによりユーザが携帯式電気ショック装置に対して充電を行う際の便利性を向上することができる。
【図面の簡単な説明】
【０００８】
【図１】本考案の携帯式電気ショック装置の一実施例に係る構造接続透視図である。
【図２】本考案の携帯式電気ショック装置の一実施例に係る立体模式図である。
【図３】本考案の携帯式電気ショック装置のその他の一実施例に係る構造接続透視図である。
【図４】本考案の携帯式電気ショック装置のその他の一実施例に係る構造接続透視図である。
【図５】本考案の携帯式電気ショック装置のその他の一実施例に係る構造接続透視図である。
【図６】本考案の携帯式電気ショック装置のその他の一実施例に係る構造接続透視図である。
【図７】本考案の携帯式電気ショック装置のその他の一実施例に係る立体模式図である。
【図８】本考案の携帯式電気ショック装置のその他の一実施例に係る構造接続透視図である。
【図９】本考案の携帯式電気ショック装置のその他の一実施例に係る立体模式図である。
【図１０】本考案の携帯式電気ショック装置のその他の一実施例に係る構造接続透視図である。
【図１１】本考案の携帯式電気ショック装置のその他の一実施例に係る立体模式図である。
【考案を実施するための形態】
【０００９】
図１及び図２を参照すると、それぞれ本考案の携帯式電気ショック装置の一実施例に係る構造接続透視図と立体模式図とである。図で示すように、本考案で述べる携帯式電気ショック装置１０は、一ハウジング１１と、少なくとも一電気ショックユニット１２と、一蓄電ユニット１３と、一ブーストユニット１４と、一スイッチユニット１５と、一ＵＳＢ接続ユニット１６と、少なくとも一挟持ユニット１７とを包括している。
【００１０】
電気ショックユニット１２は、ハウジング１１の一側面に位置し、蓄電ユニット１３及びブーストユニット１４はハウジング１１に被覆されているようにハウジング１１内に位置しており、そのうち、ブーストユニット１４は、蓄電ユニット１３と電気ショックユニット１２とに電気的に接続している。
【００１１】
本考案に係る一実施例において、ハウジング１１上にスイッチユニット１５を設置することができ、スイッチユニット１５を通して蓄電ユニット１３とブーストユニット１４との間の接続状態を制御しており、例えば、スイッチユニット１５が蓄電ユニット１３とブーストユニット１４との間の接続状態をオン（ｏｎ）の状態に切り替えた場合、蓄電ユニット１３は電圧をブーストユニット１４に伝送し、ブーストユニット１４によって蓄電ユニット１３より提供した電圧を向上させ、さらに向上した電圧を電気ショックユニット１２に伝送し、電気ショックユニット１２で低電流及び高電圧の電気ショック信号を発生させている。これに対し、スイッチユニット１５が蓄電ユニット１３とブーストユニット１４との間の接続状態をオフ（ｏｆｆ）の状態に切り替えた場合、蓄電ユニット１３は電圧をブーストユニット１４に伝送せず、電気ショックユニット１２も電気ショック信号を発生させない。
【００１２】
本考案に係る一実施例において、ＵＳＢ接続ユニット１６はハウジング１１の一側面に位置し、蓄電ユニット１３に電気的に接続しており、例えば、蓄電ユニット１３は充電電池である。実際に応用する場合、ユーザは携帯式電気ショック装置１０のＵＳＢ接続ユニット１６をデジタル製品のＵＳＢポートに接続することができ、これにより随時ＵＳＢ接続ユニット１６を通して蓄電ユニット１３に対し充電を行うことで、携帯式電気ショック装置１０の使用又は充電の際の便利性を向上することができる。
【００１３】
また、携帯式電気ショック装置１０は、さらに少なくとも一挟持ユニット１７を包括し、携帯式電気ショック装置１０のハウジング１１上に設置している。挟持ユニット１７の設置により、携帯式電気ショック装置１０をユーザの身の周りのものに固定することができ、例えば、ユーザがいざという時に携帯式電気ショック装置１０を取り出しやすいよう、携帯電話、デジタル製品、書冊、バック或いは衣服上に固定できる。また、ユーザが公共交通機関を利用する際などでは、挟持ユニット１７によって携帯式電気ショック装置１０を使用中の携帯電話や読書中の書冊などに固定し、悪意を持った人に対して抑止効果をもたらすことができる。
【００１４】
挟持ユニット１７には、一固定部１７１及び一挟持部１７３を包括することができ、そのうち、挟持部１７３は、固定部１７１を通して携帯式電気ショック装置１０のハウジング１１に接続し、被挟持物１８を挟持部１７３とハウジング１１との間の間隙１９に挿入することができるため、携帯式電気ショック装置１０は被挟持物１８上に固定される。実際に応用する場合、被挟持物１８に応じ、異なる高さの固定部１７１を選択することで、挟持部１７３とハウジング１１との間の間隙１９の大きさを変更し、異なるサイズの被挟持物１８を挟持している。
【００１５】
本考案に係る一実施例において、図１を参照すると、固定部１７１の高さは低く、且つ挟持部１７３とハウジング１１との間の間隙１９は狭いため、挟持部１７３とハウジング１１とが挟持できるものは例えば、書籍、新聞或いは用紙等の厚さがない被挟持物１８に適している。本考案に係るその他の一実施例において、図３を参照すると、固定部１７１の高さは高く、且つ挟持部１７３とハウジング１１との間の間隙１９は広いため、挟持部１７３とハウジング１１とが挟持できるものは例えば、携帯電話、パソコン或いはタブレットＰＣ等のデジタル製品等の厚さがある被挟持物１８に適している。
【００１６】
本考案に係るその他の一実施例において、図４を参照すると、挟持ユニット２７は固定部２７１と第一挟持部２７３や第二挟持部２７５のような複数の挟持部とを包括することができ、且つ第一挟持部２７３及び第二挟持部２７５は固定部２７１を通して携帯式電気ショック装置１０のハウジング１１に接続している。第一挟持部２７３とハウジング１１との間の第一間隙２９１は小さく、第二挟持部２７５とハウジング１１との間の第二間隙２９３は大きく、これによって第一挟持部２７３とハウジング１１とは、例えば、書籍、新聞或いは用紙等の厚さがない被挟持物１８を挟持することができ、第二挟持部２７５とハウジング１１とは例えば、携帯電話、パソコン或いはタブレットＰＣ等のデジタル製品等の厚さがある被挟持物１８を挟持することができる。
【００１７】
本考案に係るその他の一実施例において、図５を参照すると、挟持ユニット３７は一固定部３７１及び一挟持部３７３を包括することができ、そのうち、挟持部３７３上に一接続部３７５を設置し、一接続バー３７７を固定部３７１及び接続部３７５に貫設することで、固定部３７１とハウジング１１との接続を完成している。
【００１８】
また、接続バー３７７上には、さらに圧縮バネ或いは圧縮スプリングプレートのような一弾性素子３７９を巻回しており、弾性素子３７９は挟持部３７３とハウジング１１との間に位置し、それぞれ挟持部３７３とハウジング１１とに接触しており、これによって挟持部３７３とハウジング１１との間の間隙３９の大きさを調整することができるため、挟持ユニット３７は異なる厚さの被挟持物１８を挟持することができる。また、本考案に係るその他の一実施例において、挟持部３７３上にパッド３７２を設置することで、被挟持物１８が挟持ユニット３７から抜け落ちる確率を低下させることもできる。
【００１９】
図６及び図７を参照すると、それぞれ本考案の携帯式電気ショック装置の一実施例に係る構造接続透視図と立体模式図とである。図で示すように、本考案で述べる携帯式電気ショック装置４０は、一ハウジング４１と、少なくとも一電気ショックユニット１２と、一蓄電ユニット１３と、一ブーストユニット１４と、一スイッチユニット４５と、一ＵＳＢ接続ユニット１６と、少なくとも一挟持ユニット１７とを包括している。
【００２０】
蓄電ユニット１３はＵＳＢ接続ユニット１６に接続し、ＵＳＢ接続ユニット１６を通して蓄電ユニット１３に対し充電を行うことができる。蓄電ユニット１３はさらにブーストユニット１４を通して電気ショックユニット１２に接続し、蓄電ユニット１３が提供する電圧を向上させることができ、その向上した電圧を電気ショックユニット１２に伝送することで、電気ショックユニット１２が低電流及び高電圧の電気ショック信号を発生させている。
【００２１】
スイッチユニット４５はハウジング４１上に設置しており、スイッチユニット４５を通して蓄電ユニット１３とブーストユニット１４との間の例えばオン（ｏｎ）やオフ（ｏｆｆ）の接続状態を制御している。また、挟持ユニット１７もハウジング４１上に設置しており、これによって携帯式電気ショック装置４０は、挟持ユニット１７を通して、書冊、雑誌、新聞、衣服、バック、携帯電話、パソコンやタブレットＰＣ等のデジタル製品に固定することができ、ユーザが携帯式電気ショック装置４０を持ち運び易く、使い勝手が良いだけでなく、悪意を持った人に対して抑止効果をもたらすことができる。
【００２２】
本考案に係る一実施例において、携帯式電気ショック装置４０はさらに内包ユニット４８を包括することができ、そのうち、内包ユニット４８はハウジング４１内に位置し、蓄電ユニット１３及びブーストユニット１４を内包している。また、内包ユニット４８は、スイッチユニット４５、ＵＳＢ接続ユニット１６及び電気ショックユニット１２を接続するために用いることができ、例えばＵＳＢ接続ユニット１６及び電気ショックユニット１２はそれぞれ内包ユニット４８に相対する二側面（端）に設置され、スイッチユニット１５はＵＳＢ接続ユニット１６及び電気ショックユニット１２が設置されていない内包ユニット４８の一側面に設置されている。本考案に係る一実施例において、電気ショックユニット１２は接続ユニット４２を通して内包ユニット４８に接続することができる。
【００２３】
本考案に係る一実施例において、ハウジング４１上には溝槽４９が設置されており、スイッチユニット４５は溝槽４９内に位置し、内包ユニット４８に接続しており、且つスイッチユニット４５は溝槽４９に沿って移動することができる。本考案に係る一実施例において、溝槽４９は、少なくとも一第一位置制限ユニット４９１、少なくとも一第二位置制限ユニット４９３及び少なくとも一第三位置制限ユニット４９５をさらに包括することができ、このため、スイッチユニット４５は、溝槽４９に沿って移動する過程において、第一位置制限ユニット４９１、第二位置制限ユニット４９３或いは第三位置制限ユニット４９５で係合することができる。
【００２４】
スイッチユニット４５が溝槽４９にある第一位置制限ユニット４９１に位置する場合は、図６及び図７のように、ＵＳＢ接続ユニット１６及び電気ショックユニット１２がハウジング４１内に収納され、ユーザが携帯式電気ショック装置４０を持ち運んだり、収納したりし易くなっている。スイッチユニット４５が溝槽４９にある第二位置制限ユニット４９３に位置する場合は、図８及び図９のように、ＵＳＢ接続ユニット１６がハウジング４１の外に突出し、これによってユーザはＵＳＢ接続ユニット１６は、パソコン、タブレットＰＣ、ノート型ＰＣ、携帯電話或いはスマートフォン等のデジタル製品のＵＳＢポート或いはＵＳＢアダプタに接続し、これらデジタル製品を通して携帯式電気ショック装置４０に対し充電を行うことができる。また、本考案の実施例で述べているＵＳＢ接続ユニット１６は、標準的なＵＳＢインターフェース、ｍｉｎｉ  ＵＳＢインターフェース或いはｍｉｃｒｏ  ＵＳＢインターフェースとすることができるため、携帯式電気ショック装置４０はＵＳＢポートを有するデジタル製品に接続することで、携帯式電気ショック装置４０に対し充電を行うことができる。
【００２５】
スイッチユニット４５が溝槽４９にある第三位置制限ユニット４９５に位置する場合は、図１０及び図１１のように、電気ショックユニット１２及び／或いは接続ユニット４２がハウジング４１の外に突出し、この際、スイッチユニット４５は蓄電ユニット１３とブーストユニット１４との間の接続状態をオン（ｏｎ）に切り換えることができるため、蓄電ユニット１３とブーストユニット１４とは電気ショックユニット１２に高電圧及び低電流の電気ショック信号を提供することができる。また、その他の実施例では、ユーザがスイッチユニット４５を第三位置制限ユニット４９５まで押し出したと同時に、スイッチユニット４５を押すことで、蓄電ユニット１３とブーストユニット１４との間の接続状態がオン（ｏｎ）に切り換えられ、電気ショックユニット１２に電気ショック信号が発生している。
【００２６】
本考案で述べている接続とは、一つ或いは複数の物体や部材間の直接的接続、又は間接的接続を指しており、例えば、一つ或いは複数の物体や部材間に存在する一つ或いは複数の中間接続物である。
【００２７】
本考案の明細書で述べている叙述は、本考案を限定するものではなく、また、明細書で用いられる専門用語は、主に特定の実施例を叙述する上で用いられるものであって、本考案を限定するものではない。また、明細書で明確に説明されていない限り、明細書で用いられる単一の数量詞（一つ及び一個等）は複数であってもよい。例えば、明細書で述べられている一つの装置は二つ或いは二つ以上の装置の結合したものを包括しており、明細書で述べている一物質は複数の物質が混合したものを包括している。
【００２８】
上述で述べているものは、本考案の好ましい実施例に過ぎず、本考案の請求の範囲を限定するものではなく、また、本考案の請求の範囲が述べている形状、構造、特徴及びその精神に基づく変更及び修正は、本考案が請求する範囲に含まれている。
【符号の説明】
【００２９】
１０        携帯式電気ショック装置
１１        ハウジング
１２        電気ショックユニット
１３        蓄電ユニット
１４        ブーストユニット
１５        スイッチユニット
１６        ＵＳＢ接続ユニット
１７        挟持ユニット
１７１      固定部
１７３      挟持部
１８        被挟持物
１９        間隙
２７        挟持ユニット
２７１      固定部
２７３      第一挟持部
２７５      第二挟持部
２９１      第一間隙
２９３      第二間隙
３７        挟持單元
３７１      固定部
３７２      パッド
３７３      挟持部
３７５      接続部
３７７      接続バー
３７９      彈性素子
３９        間隙
４０        携帯式電気ショック装置
４１        ハウジング
４２        接続ユニット
４５        スイッチユニット
４８        内包ユニット
４９        溝槽
４９１      第一位置限定ユニット
４９３      第二位置限定ユニット
４９５      第三位置限定ユニット
【図１】
0003186660.tif 000003
【図２】
0003186660.tif 000004
【図３】
0003186660.tif 000005
【図４】
0003186660.tif 000006
【図５】
0003186660.tif 000007
【図６】
0003186660.tif 000008
【図７】
0003186660.tif 000009
【図８】
0003186660.tif 000010
【図９】
0003186660.tif 000011
【図１０】
0003186660.tif 000012
【図１１】
0003186660.tif 000013